(57)【要約】      （修正有）【課題】発熱部を簡易な構造としつつ、撮影装置前方のフロントガラスの温度が均一となるよう温めることができる発熱装置を提供する。【解決手段】車両の外部を撮影する撮影装置の撮影範囲に含まれる車両のガラス面を温める発熱装置であって、撮影装置の撮影方向に開口する開口部を有する本体部と、本体部に関してガラス面がある側とは反対側に配置されており、面内で一様に発熱し、本体部の底部に熱を供給する面状の発熱部３１と、を備え、本体部の底部１３のガラス面側の表面は、撮影方向側に傾く第１の斜面Ａ２３，Ａ２５と、撮影方向とは反対側に傾く第２の斜面Ａ２４，Ａ２６とを有し、第２の斜面の表面積は第１の斜面の表面積よりも大きい。【選択図】図５
2018198146.tif 000002
【特許請求の範囲】
【請求項１】
車両の外部を撮影する撮影装置の撮影範囲に含まれる前記車両のガラス面を温める発熱装置であって、
前記撮影装置の撮影方向に開口する開口部を有する本体部と、
前記本体部に関して前記ガラス面がある側とは反対側に配置されており、面内で一様に発熱し、前記本体部の底部に熱を供給する面状の発熱部と、
を備え、
前記本体部の底部の前記ガラス面側の表面は、前記撮影方向側に傾く第１の斜面と、前記撮影方向とは反対側に傾く第２の斜面とを有し、前記第２の斜面の表面積は前記第１の斜面の表面積よりも大きい、
発熱装置。
【請求項２】
前記第２の斜面は複数あって、複数ある前記第２の斜面のうち前記撮影装置側にある斜面ほど傾斜が小さくなっている請求項１に記載の発熱装置。
【請求項３】
前記本体部の前記ガラス面側の表面は、前記撮影装置に近い側の第１の領域に平面領域を有し、前記撮影装置から遠い側に前記第１の斜面と前記第２の斜面を含む第２の領域を有する請求項１に記載の発熱装置。
【発明の詳細な説明】
【技術分野】
【０００１】
本発明は、発熱装置に関する。
【背景技術】
【０００２】
現在、車両に画像記録装置を装備することが増えている。この車両の画像記録装置には、車内から、フロントガラスに取付けられるものがある。
【０００３】
車内からフロントガラスに取付けられる画像記録装置では、撮影カメラの前方のフロントガラスが結露等によって曇ると、撮影カメラの画像が不鮮明になったりする。
【０００４】
そこで、フォイルヒータを備えた画像記録装置がある。画像記録装置は、フォイルヒータで撮影装置前方のフロントガラスを温めて曇りを防止し、車両前方の撮影および画像記録を行う。
【０００５】
画像記録装置において、ムラのない画像を記録するには、撮影装置前方のフロントガラスの曇りを均一に除去することが重要である。撮影装置前方のフロントガラスの曇りを均一に除去するには、撮影装置前方のフロントガラスを均一に温めることが重要である。
【０００６】
特許文献１では、２つの異なった面区域または長さ区域の単位面積ごとの熱放射出力が異なるようにフォイルヒータを形成し、フロントガラスから遠いフォイルヒータの熱放射出力を大きくし、フロントガラスから近いフォイルヒータの熱放射出力を小さくするようにしている。このようにして、特許文献１は、フォイルヒータから距離が遠いフロントガラス部分と、フォイルヒータから距離が近いフロントガラス部分との温度差を小さくしている。
【先行技術文献】
【特許文献】
【０００７】
【特許文献１】国際公開第２０１２／０６９１１５号
【発明の概要】
【発明が解決しようとする課題】
【０００８】
しかしながら、フォイルヒータの発熱量を不均一にするため、ヒータ線の太さや厚さを変えたり、ヒータ線の間隔を変えたりすると、フォイルヒータの構造が複雑となり、コストが高くなる。
【０００９】
そこで本発明は、発熱部を簡易な構造としつつ、撮影装置前方のフロントガラスの温度が均一となるよう温めることができる発熱装置を提供することを目的とする。
【課題を解決するための手段】
【００１０】
本発明の発熱装置は、車両の外部を撮影する撮影装置の撮影範囲に含まれる前記車両のガラス面を温める発熱装置であって、前記撮影装置の撮影方向に開口する開口部を有する本体部と、前記本体部に関して前記ガラス面がある側とは反対側に配置されており、面内で一様に発熱し、前記本体部の底部に熱を供給する面状の発熱部と、を備え、前記本体部の底部の前記ガラス面側の表面は、前記撮影方向側に傾く第１の斜面と、前記撮影方向とは反対側に傾く第２の斜面とを有し、前記第２の斜面の表面積は前記第１の斜面の表面積よりも大きい。
【発明の効果】
【００１１】
本発明によれば、発熱部を簡易な構造としつつ、撮影装置前方のフロントガラスの温度が均一となるよう温めることができる。
【図面の簡単な説明】
【００１２】
【図１】実施の形態に係る発熱装置を搭載した画像記録装置を車両に取付けたときの図である。
【図２】画像記録装置が有する発熱装置の斜視図である。
【図３】散光カバーを裏側（車両の車内側）から見た斜視図である。
【図４】底部の裏側に取付けられた発熱部を示した図である。
【図５】図４のＡ−Ａ矢視断面図である。
【図６】図２のＡ−Ａ矢視断面図である。
【発明を実施するための形態】
【００１３】
以下、本発明の実施の形態を、図面を参照して説明する。
【００１４】
図１は、実施の形態に係る発熱装置を搭載した画像記録装置を車両に取付けたときの図である。図１には、車両１と、画像記録装置２と、が示してある。図１は、車両１の一部を、前方から斜視図で示している。
【００１５】
車両１は、フロントガラス１ａを有している。画像記録装置２は、車両１の車内側から、フロントガラス１ａに取付けられる。
【００１６】
画像記録装置２は、撮影カメラを備え、車両１の前方を撮影する。画像記録装置２は、撮影カメラが撮影した画像データを、例えば、ＨＤＤ（Hard Disk Drive）等の記憶装置に記憶する。
【００１７】
図２は、画像記録装置２が有する発熱装置１０の斜視図である。図２に示すように、発熱装置１０は、本体部１１を有している。本体部１１は、例えば、プラスチックで形成される。後述するが、発熱装置１０は、発熱部を有し、車両１の外部を撮影する撮影カメラ（例えば、図６の撮影カメラ４１を参照）の撮影範囲に含まれるフロントガラス１ａを温める。なお、図２の矢印Ａ３は、後述する背部１６に固定される撮影カメラの撮影方向を示している。
【００１８】
本体部１１は、固定部１２と、底部１３と、側部１４，１５と、背部１６と、を有している。
【００１９】
固定部１２は、平面形状を有している。固定部１２は、車両１の車内側から、フロントガラス１ａに固定される（例えば、図６を参照）。固定部１２は、例えば、両面テープによって、フロントガラス１ａに固定される。
【００２０】
底部１３は、平面形状を有している。図２の両矢印Ａ１に示す底部１３の幅は、矢印Ａ３の矢先方向に向かうにつれ、徐々に広くなるように形成されている。すなわち、底部１３の幅は、撮影カメラの撮影方向に向かって、徐々に広くなるように形成されている。
【００２１】
側部１４，１５は、平面形状を有している。側部１４，１５は、底部１３から固定部１２に向かって延びている。図２の両矢印Ａ２に示す側部１４，１５の高さは、矢印Ａ３の矢先方向に向かうにつれ、徐々に低くなるように形成されている。すなわち、側部１４，１５の高さは、撮影カメラの撮影方向に向かって、徐々に低くなるように形成されている。
【００２２】
背部１６は、平面形状を有している。背部１６は、底部１３から固定部１２に向かって延びている。背部１６は、開口部Ｘ１を有し、開口部Ｘ１には、撮影カメラのレンズ部分が挿入される（例えば、図６を参照）。
【００２３】
本体部１１は、底部１３、側部１４，１５、および背部１６によって囲まれた凹状の開口部Ｘ２を有している。すなわち、本体部１１は、撮影カメラの撮影方向に開口する開口部Ｘ２を有している。
【００２４】
なお、底部１３、側部１４，１５、および背部１６は、一体に形成され、本体部１１から取り外せるようになっていてもよい。底部１３、側部１４，１５、および背部１６は、散光カバーまたはフードとも呼ばれる。以下では、底部１３、側部１４，１５、および背部１６を散光カバーと呼ぶ。散光カバーは、車内からの散光が、撮影カメラに入射することを抑制する。
【００２５】
図３は、散光カバー２１を裏側（車両１の車内側）から見た斜視図である。図３において、図２と同じものには同じ符号が付してある。図３に示すように、散光カバー２１は、底部１３と、側部１４，１５と、背部１６と、によって形成されている。
【００２６】
散光カバー２１の底部１３の裏側には、斜線で示すように、発熱部３１が設けられている。発熱部３１は、例えば、フォイルヒータであり、両面テープで散光カバー２１の底部１３の裏側に貼り付けられる。
【００２７】
図４は、底部１３の裏側に取付けられた発熱部３１を示した図である。図４において、図２および図３と同じものは同じ符号が付してある。図４に示す矢印Ａ１１は、撮影カメラの撮影方向を示している。
【００２８】
発熱部３１（点線枠で示す部分）は、例えば、面状の発熱抵抗体によって形成されている。発熱部３１のヒータ線は、図４に示すように、蛇行するように形成されている。
【００２９】
また、発熱部３１は、撮影カメラの撮影方向において、幅が一定となるように形成されている。例えば、発熱部３１は、図４の両矢印Ａ１２に示すように、幅が一定となるように形成されている。
【００３０】
発熱部３１のヒータ線の厚さおよび太さは、均一に形成される。また、発熱部３１は、ヒータ線の間隔が均一に形成される。従って、発熱部３１は、面内（点線の枠内）での発熱量が一様となる。
【００３１】
なお、図４には示していないが、発熱部３１には、電源部から電力が供給される。発熱部３１は、電源部から供給される電力によって発熱する。
【００３２】
図５は、図４のＡ−Ａ矢視断面図である。図５において、図４と同じものには同じ符号が付してある。
【００３３】
底部１３は、撮影カメラ（例えば、図６の撮影カメラ４１を参照）に近い側にある第１の領域と、撮影装置カメラから遠い側にある第２の領域とを有している。例えば、図５の両矢印Ａ２１は、撮影カメラに近い側にある第１の領域を示し、両矢印Ａ２２は、撮影カメラに遠い側にある第２の領域を示している。
【００３４】
底部１３の第１の領域の表面は、平面となっている。底部１３の第２の領域の表面には、複数の斜面が鋸歯状に形成されている。なお、図２に示した底部１３では、第２の領域の斜面の図示を省略している。
【００３５】
底部１３の第２の領域の斜面は、撮影方向（図５の左方向）側に傾く第１の斜面と、撮影方向とは反対側に傾く第２の斜面とを有している。例えば、図５の矢印Ａ２３，Ａ２５に示す斜面は、撮影方向側に傾く第１の斜面であり、矢印Ａ２４，Ａ２６に示す斜面は、撮影方向とは反対側に傾く第２の斜面である。
【００３６】
第２の斜面は、その表面積が第１の斜面の表面積より大きくなるように形成されている。例えば、矢印Ａ２４，Ａ２６に示す第２の斜面の表面積は、矢印Ａ２３，Ａ２５に示す第１の斜面の表面積より大きくなるように形成されている。
【００３７】
第２の斜面は、撮影カメラ側（図５の右方向）にある斜面ほど、傾斜が小さくなっている。例えば、矢印Ａ２６に示す第２の斜面は、矢印Ａ２４に示す第２の斜面より、撮影カメラ側に近い。この撮影カメラ側に近い矢印Ａ２６に示す第２の斜面は、矢印Ａ２４に示す第２の斜面より、傾斜が小さくなっている。
【００３８】
図６は、図２のＡ−Ａ矢視断面図である。図６において、図２と同じものには同じ符号が付してある。なお、図６は、図２の発熱装置１０が、車両１のフロントガラス１ａに取付けられたときのＡ−Ａ矢視断面を示しており、車両１のフロントガラス１ａの一部も示してある。
【００３９】
また、図６には、背部１６の開口部Ｘ１に固定された撮影カメラ４１が示してある。図６に示す矢印Ａ３１は、撮影カメラ４１の撮影方向を示している。図２に示した矢印Ａ３は、図６の矢印Ａ３１に対応している。また、図６に示す矢印Ａ３２ａ〜Ａ３２ｃは、底部１３から放射される熱を示しており、その長さは、熱の大きさを示している。
【００４０】
図４で説明したように、発熱部３１の面内の発熱量は、均一である。しかし、図５で説明したように、底部１３の第２の領域の表面は、鋸歯状に形成されているため、底部１３の表面から放射される熱の方向は、底部１３に対し傾斜する。
【００４１】
例えば、第２の斜面から放射される熱の方向は、撮影カメラ４１側に傾く。例えば、図６の矢印Ａ３２ａ，Ａ３２ｃに示す熱は、第２の斜面から放射された熱を示し、撮影カメラ４１側に傾いている。一方、第１の斜面から放射される熱の方向は、撮影カメラ４１とは反対側に傾く。例えば、図６の矢印Ａ３２ｂに示す熱は、第１の斜面から放射された熱を示し、撮影カメラ４１とは反対側に傾いている。
【００４２】
また、図５で説明したように、第２の斜面の表面積は、第１の斜面の表面積より大きい。そのため、第２の斜面から放出される熱は、第１の斜面から放出される熱より大きい。例えば、図６の矢印Ａ３２ａ，Ａ３２ｃに示す第２の斜面から放出される熱は、矢印Ａ３２ｂに示す第１の斜面から放出される熱より大きくなっている。
【００４３】
また、図５で説明したように、底部１３の第２の斜面は、撮影カメラ４１側にある斜面ほど、傾斜が小さくなっている。従って、底部１３の第２の斜面から放射される熱は、撮影カメラ４１側に近いほど、放射方向の傾きが小さくなる。例えば、図６の矢印Ａ３２ａに示す第２の斜面から放射される熱は、矢印Ａ３２ｃに示す第２の斜面から放射される熱より、底部１３の法線に対する傾きが小さくなっている。
【００４４】
このように、底部１３から放射される熱の方向を変えることにより、フロントガラス１ａの特定部分に熱を放射させることができる。例えば、底部１３から放射される熱を、フロントガラス１ａの矢印Ａ３３ａに示す部分に放射させることができる。
【００４５】
ここで、底部１３の全表面は、平面状に形成され、均一の熱が放射されると仮定する。この場合、底部１３と距離が遠いフロントガラス１ａの部分は、底部１３と距離が近いフロントガラス１ａの部分より、温度が低くなる。例えば、図６の矢印Ａ３３ａに示すフロントガラス１ａの部分は、矢印Ａ３３ｂに示すフロントガラス１ａの部分より、温度が小さくなる。
【００４６】
しかし、上記したように、底部１３から放射される熱の方向は傾斜し、フロントガラス１ａの特定部分に向けられる。この特定部分に向けられる熱を、フロントガラス１ａの温度が低くなる部分に放射させれば、フロントガラス１ａを均一に温めることができる。例えば、底部１３から放射される熱を、図６の矢印Ａ３２ａ，３２ｃに示すように、底部１３との距離が遠いフロントガラス１ａの矢印Ａ３３ａに示す部分に放射させれば、フロントガラス１ａは、温度が均一となるよう温められる。
【００４７】
以上説明したように、車両１の外部を撮影する撮影カメラ４１の撮影範囲に含まれる車両１のフロントガラス１ａを温める発熱装置１０は、撮影カメラ４１の撮影方向に開口する開口部Ｘ２を有する本体部１１と、本体部１１に関してフロントガラス１ａがある側とは反対側に配置されており、面内で一様に発熱し、本体部１１の底部１３に熱を供給する面状の発熱部３１と、を備える。そして、本体部１１の底部１３のフロントガラス１ａ側の表面は、撮影方向側に傾く第１の斜面と、撮影方向とは反対側に傾く第２の斜面とを有し、第２の斜面の表面積は第１の斜面の表面積よりも大きい。これにより、発熱装置１０は、発熱部３１を簡易な構造としつつ、フロントガラス１ａの温度が均一となるよう温めることができる。
【００４８】
また、底部１３の表面の第２の斜面は複数あって、複数ある第２の斜面のうち、撮影カメラ４１側にある斜面ほど傾斜が小さくなっている。これにより、発熱装置１０は、フロントガラス１ａの温度が低くなる部分を温めることができ、フロントガラス１ａの温度が均一となるよう温めることができる。
【００４９】
また、発熱部３１は、ヒータ線の厚さ、ヒータ線の太さ、およびヒータ線の間隔を、均一に形成することができる。従って、発熱装置１０は、発熱部のヒータ線の厚さ、ヒータ線の太さ、またはヒータ線の間隔を、不均一に形成して、フロントガラス１ａを均一に温める発熱装置よりも、容易に製造することができる。また、発熱部３１の設計が容易となる。さらに、発熱装置１０のコスト低減を図ることができる。
【００５０】
なお、上記では、底部１３は、表面に傾斜を有する部分と、平面の部分とを有するとしたが、全表面を傾斜にしてもよい。
【００５１】
また、上記では、第２の斜面は、撮影カメラ４１側にあるほど、傾斜が小さくなるとしたがこれに限られない。例えば、第２の斜面の傾斜は、一定であってもよい。
【００５２】
また、本体部１１は、例えば、プラスチック等の樹脂で形成されるとしたが、散光カバー２１は、発熱部３１の熱放射がよくなるよう、金属によって形成されてもよい。
【符号の説明】
【００５３】
１  車両
１ａ  フロントガラス
２  画像記録装置
１０  発熱装置
１１  本体部
１２  固定部
１３  底部
１４，１５  側部
１６  背部
Ｘ１，Ｘ２  開口部
２１  散光カバー
３１  発熱部
４１  撮影カメラ
【図１】
2018198146.tif 000003
【図２】
2018198146.tif 000004
【図３】
2018198146.tif 000005
【図４】
2018198146.tif 000006
【図５】
2018198146.tif 000007
【図６】
2018198146.tif 000008